(57)【要約】【課題】付加する音響効果量がボリューム調整値に連動する調整値連動部と、付加する音響効果量がボリューム調整値に連動しない調整値非連動部とを組み合わせて使用しても、設計時に意図されていた調整値連動部の音響効果を得ることを可能とする。【解決手段】調整値非連動部が、ボリューム調整値に連動することなく、音声信号に音響効果を付加して出力し、調整値連動部が、ボリューム調整値に連動した付加量の音響効果を、調整値非連動部により音響効果が付加された音声信号に付加して出力する。差分検出部は、調整値非連動部に入力される音声信号、および調整値非連動部から出力される音声信号の差分を検出し、付加量補正部が、調整値連動部でボリューム調整値に連動して音声信号に付加している音響効果の付加量が、差分検出部で検出された差分に対応した付加量となるように、差分に応じて調整値連動部に付加量の設定を行う。【選択図】図１
2015115615.tif 000002
【特許請求の範囲】
【請求項１】
ボリューム調整値に連動することなく、音声信号に音響効果を付加する調整値非連動部と、
前記ボリューム調整値に連動した付加量の音響効果を、前記調整値非連動部により前記音響効果が付加された音声信号に付加する調整値連動部と、
前記調整値非連動部に入力される音声信号、および前記調整値非連動部から出力される音声信号の差分を検出する差分検出部と、
前記調整値連動部で前記ボリューム調整値に連動して前記音声信号に付加している音響効果の付加量が、前記差分検出部で検出された前記差分に対応した付加量となるように、前記差分に応じて前記調整値連動部に前記付加量の設定を行う付加量補正部と
を有する音響調整装置。
【請求項２】
前記調整値非連動部に入力される音声信号を、聴感補正カーブのフィルタ特性でフィルタリング処理する第１フィルタ部と、
前記調整値非連動部から出力された音声信号を、聴感補正カーブのフィルタ特性でフィルタリング処理する第２フィルタ部とを、さらに備え、
前記差分検出部は、前記第１フィルタ部からの音声信号および前記第２フィルタ部からの音声信号から、前記差分として聴感音量差の検出を行うこと
を特徴とする音響調整装置。
【請求項３】
前記調整値非連動部に入力される音声信号および前記調整値非連動部から出力された音声信号を、それぞれ聴感補正カーブのフィルタ特性でフィルタリング処理して差分を検出することで得た聴感音量差から生成された、前記調整値連動部が前記音声信号に付加している音響効果の付加量の補正量が、ボリューム調整値毎および前記調整値非連動部の設定パターン毎に記憶された記憶部を、さらに備え、
前記付加量補正部は、ボリューム調整値および前記調整値非連動部の設定パターンに対応する補正量を前記記憶部から検出し、前記調整値連動部で、前記ボリューム調整値に連動して前記音声信号に付加している音響効果の付加量を、前記記憶部から検出した前記付加量補正部の前記補正量で補正すること
を特徴とする請求項１に記載の音響調整装置。
【請求項４】
調整値非連動部が、ボリューム調整値に連動することなく、音声信号に音響効果を付加して出力する第１付加ステップと、
調整値連動部が、前記ボリューム調整値に連動した付加量の音響効果を、前記調整値非連動部により前記音響効果が付加された音声信号に付加する第２付加ステップと、
差分検出部が、前記調整値非連動部に入力される音声信号、および前記調整値非連動部から出力される音声信号の差分を検出する差分検出ステップと、
前記第２付加ステップで、前記ボリューム調整値に連動して前記音声信号に付加している音響効果の付加量を、前記差分検出ステップで検出された前記差分に対応した付加量に補正する付加量補正ステップと
を有する音響調整方法。
【発明の詳細な説明】
【技術分野】
【０００１】
本発明は、音響調整装置、および音響調整方法に関する。
【背景技術】
【０００２】
今日において、操作者が所望の音量の音響出力を得られるように、例えばボリュームボタンを操作して調整したボリューム調整値に連動して、音声信号に付加する音響効果の付加量を変化させる音響機能（調整値連動機能）が知られている。調整値連動機能としては、例えばラウドネス機能、および車載オーディオ装置の走行ノイズの聴感補正機能等が知られている。なお、ラウドネス機能は、音声信号の低域および高域の音量を、ボリューム調整値に応じて増量する機能である。このような調整値連動機能は、一般的には、ボリューム調整値が大きいときに音響効果量が少なく、ボリューム調整値が小さいときに音響効果量が多くなるように設計されている。
【０００３】
特許文献１（特開平１−１９８８１８号公報）には、前述のボリュームに連動する一例の一つとして、ラウドネス機能とその構成が開示されている。特許文献１には車両の走行ノイズの影響を考慮したラウドネス補正値を使用し、音楽制作時の音を再現する技術が開示されている。
【先行技術文献】
【特許文献】
【０００４】
【特許文献１】特開平１−１９８８１８号公報
【発明の概要】
【発明が解決しようとする課題】
【０００５】
しかし、上述の調整値連動機能と、付加する音響効果量がボリューム調整値に連動しない音響機能（調整値非連動機能）とを組み合わせて使用すると、設計時に意図されていた調整値連動機能の音響効果を得ることが困難となる問題があった。
【０００６】
一例ではあるが、調整値非連動機能の一つである、例えばイコライザ装置は、元の音声信号の各周波数帯域の音量を変更して所望の周波数特性の音声信号を得るものである。このため、イコライザ装置により各周波数帯域の音量を調整した後の音声信号の全体的な音量は、ボリューム調整値で調整した音量とは異なる音量となる。
【０００７】
このようなイコライザ装置と、調整値連動機能の一つであるラウドネス機能とを組み合わせて使用すると、ラウドネス機能による現在のボリューム調整値の音量用の音響効果が、イコライザ装置により現在のボリューム調整値の音量とは異なる音量に変更された音声信号に対して付加される。このため、ラウドネス機能の設計時の意図とは異なる音響効果が付加された音声信号が生成される不都合を生ずる。
【０００８】
本発明は、上述の課題に鑑みてなされたものであり、最適な音響効果を得ることが可能な音響調整装置、および音響調整方法の提供を目的とする。
【課題を解決するための手段】
【０００９】
本発明に係る音響調整装置は、上述した課題を解決するための手段として、ボリューム調整値に連動することなく、音声信号に音響効果を付加する調整値非連動部と、ボリューム調整値に連動した付加量の音響効果を、調整値非連動部により音響効果が付加された音声信号に付加する調整値連動部と、調整値非連動部に入力される音声信号、および調整値非連動部から出力される音声信号の差分を検出する差分検出部と、調整値連動部でボリューム調整値に連動して音声信号に付加している音響効果の付加量が、差分検出部で検出された差分に対応した付加量となるように、差分に応じて調整値連動部に付加量の設定を行う付加量補正部とを有する。
【００１０】
また、本発明に係る音響調整方法は、上述した課題を解決するための手段として、調整値非連動部が、ボリューム調整値に連動することなく、音声信号に音響効果を付加して出力する第１付加ステップと、調整値連動部が、ボリューム調整値に連動した付加量の音響効果を、調整値非連動部により音響効果が付加された音声信号に付加する第２付加ステップと、差分検出部が、調整値非連動部に入力される音声信号、および調整値非連動部から出力される音声信号の差分を検出する差分検出ステップと、第２付加ステップで、ボリューム調整値に連動して音声信号に付加している音響効果の付加量を、差分検出ステップで検出された差分に対応した付加量に補正する付加量補正ステップとを有する。
【発明の効果】
【００１１】
本発明によれば、最適な音響効果を得ることができる。
【図面の簡単な説明】
【００１２】
【図１】図１は、本発明を適用した第１の実施の形態となる音響調整装置のブロック図である。
【図２】図２は、第１の実施の形態となる音響調整装置に設けられている第１フィルタおよび第２フィルタのフィルタ特性を示す図である。
【図３】図３は、第１の実施の形態となる音響調整装置に設けられているイコライザ装置の設定パターンの一例を示す図である。
【図４】図４は、第１の実施の形態となる音響調整装置のラウドネス装置に設けられている付加量記憶部の模式図である。
【図５】図５は、第１の実施の形態となる音響調整装置のラウドネス装置に設けられているシフト量記憶部の模式図である。
【図６】図６は、第１の実施の形態となる音響調整装置のラウドネス装置における、音響効果付加量のシフト制御を説明するための図である。
【図７】図７は、本発明を適用した第２の実施の形態となる音響調整装置のブロック図である。
【図８】図８は、第２の実施の形態となる音響調整装置のシフト量記憶部の記憶内容を説明するための図である。
【発明を実施するための形態】
【００１３】
以下、添付図面を参照して、本発明を適用した実施の形態となる音響調整装置を詳細に説明する。
【００１４】
（第１の実施の形態）
図１に、本発明を適用した第１の実施の形態となる音響調整装置のブロック図を示す。この図１に示すように、第１の実施の形態の音響調整装置は、イコライザ装置１、ラウドネス装置２、第１フィルタ部３、第２フィルタ部４、差分検出部５、および付加量補正部６を有している。イコライザ装置１は、調整値非連動部の一例である。ラウドネス装置２は、調整値連動部の一例である。
【００１５】
イコライザ装置１は、例えば操作者がボリューム調整ボタンを操作して設定するボリューム調整値に連動することなく、音声信号に音響効果を付加する調整非連動機能の一例である。このような調整非連動機能としては、様々な装置が知られているが、本実施の形態では、一例として、調整非連動機能は、イコライザ装置１であることとして説明を進める。
【００１６】
ラウドネス装置２は、例えば操作者がボリューム調整ボタンを操作して設定するボリューム調整値に連動して、音声信号に音響効果を付加する調整連動機能の一例である。このような調整連動機能としては、様々な装置が知られているが、本実施の形態では、一例として、調整連動機能は、ラウドネス装置２であることとして説明を進める。なお、ラウドネス装置２は、音声信号の低域および高域の音量を、ボリューム調整値に応じて増量する機能である。このようなラウドネス装置２は、ボリューム調整値が大きいときには、音声信号に対して付加される音響効果の付加量が少なく、ボリューム調整値が小さいときには、音声信号に対して付加される音響効果の付加量が多くなるように設計されている。
【００１７】
第１フィルタ部３および第２フィルタ部４の一例は、入力された音声信号を、いわゆるＡカーブと呼ばれる聴感補正カーブのフィルタ特性でフィルタリング処理する。図２は、第１フィルタ部３および第２フィルタ部４のフィルタ特性（周波数特性）を示している。第１フィルタ部３および第２フィルタ部４のフィルタ特性は、人間の耳の聴感に合ったフィルタ特性となっている。
【００１８】
すなわち、人間の耳は、２０Ｈｚ以下の低い周波数および５ｋＨｚ以上の高い周波数の音声信号を聞き取り難くなっている。また、人間の耳は、２ｋＨｚから４ｋＨｚ程度の周波数の音声信号が最も聞き取り易くなっている。各フィルタ部３，４は、このような人間の耳の聴感上の特徴を考慮した周波数特性となっている。一例ではあるが、各フィルタ部３，４は、図２に示すように、２ｋＨｚ−４ｋＨｚ間において、＋１ｄＢ〜２ｄＢ程度のピークを有し、低域側は３０Ｈｚで−３７ｄＢ程度、高域側は１６ｋＨｚで−７ｄＢ程度となる周波数特性を有するように設定されている。各フィルタ部３，４は、入力される音声信号を、このような周波数特性に従ってフィルタリング処理することで、人間の聴感に合った音声信号に聴感補正して出力する。
【００１９】
なお、第一フィルタ部３および第２フィルタ部４は、Ａカーブの特性を持つフィルタでなくてもよい。例えば、調整値連動機能が所定の周波数以下の低域のみを変化させる機能を持つ場合には、所定の周波数以下の帯域を通過するローパスフィルタであってもよい。また、調整連動機能が全帯域のレベルを全て同等に検出する場合には、全帯域通過フィルタあるいはフィルタがなくてもよい。
【００２０】
次に、このような構成を有する第１の実施の形態の動作を説明する。まず、図１に示す入力端子７を介して供給された音声信号は、イコライザ装置１、および第１フィルタ部３に供給される。イコライザ装置１は、例えばＤＳＰ（Digital  Signal  Processor）を用いてＩＩＲ（Infinite  Impulse  Response）フィルタの演算処理を行い、入力された音声信号の周波数特性を調整する。
【００２１】
図３に、イコライザ装置１でこのようなイコライジング処理が施された音声信号の信号波形の一例を示す。イコライジング処理後の音声信号の信号波形は、操作者により調整された周波数特性毎に変化する。換言すると、イコライザ装置１は、操作者により調整される各周波数特性に対応する複数の設定パターンを有する。イコライザ装置１は、入力された音声信号を、各設定パターンに対応する周波数特性の音声信号に変換して出力する。
【００２２】
次に、イコライザ装置１から出力された音声信号は、ラウドネス装置２に供給される。ラウドネス装置２は、イコライザ装置１から供給された音声信号を、操作者がボリュームボタンを操作して調整したボリューム調整値に対応する付加量の音響効果を付加し、出力端子８を介して出力する。具体的には、ラウドネス装置２には、図１に示す付加量記憶部１０が設けられている。
【００２３】
図４は、付加量記憶部１０の模式図である。この図４に示すように付加量記憶部１０には、各ボリューム調整値と、ラウドネス装置２による音響効果の付加量とが関連付けされて記憶されている。この図４の例は、操作者がボリュームボタンを操作することで、ボリューム１〜ボリューム１０の１０段階にボリュームを調整できる例である。ボリューム１の場合、ボリュームゲインは例えば−９ｄＢであり、ボリューム５の場合、ボリュームゲインは例えば−５ｄＢ、ボリューム１０の場合、ボリュームゲインは例えば０ｄＢとなっている。また、ボリューム１の場合、ラウドネス装置２による音響効果の付加量はＧ１０であり、ボリューム５の場合、音響効果の付加量は例えばＧ６、ボリューム１０の場合、音響効果の付加量は例えばＧ１となっている。音響効果の付加量を示すＧ１〜Ｇ１０の各値の関係は、「Ｇ１≦Ｇ２・・・Ｇ９≦Ｇ１０」となっている。
【００２４】
ラウドネス装置２には、操作者がボリュームボタンを操作して調整したボリューム調整値が、入力端子９を介して供給されている。ラウドネス装置２は、付加量記憶部１０を参照することで、入力端子９を介して供給されるボリューム調整値に対応する付加量を検出する。そして、ラウドネス装置２は、付加量記憶部１０から検出した付加量の音響効果を、イコライザ装置１からの音声信号に付加し、出力端子８を介して出力する。具体的には、ラウドネス装置２は、ボリューム調整値が大きいときには少量の音響効果を音声信号に付加し、ボリューム調整値が小さいときに多量の音響効果を音声信号に付加することで、人間の聴感度が悪い低域および高域を補強して出力する。
【００２５】
ここで、イコライザ装置１に入力される音声信号は、操作者がボリュームボタンを操作して調整したボリューム調整値に対応する音量である。しかし、イコライザ装置１に入力された音声信号は、周波数特性が調整されて出力される。このため、イコライザ装置１から出力される音声信号は、イコライザ装置１に入力される音声信号の音量とは異なる音量とされて出力される。
【００２６】
ラウドネス装置２は、操作者がボリュームボタンを操作して調整したボリューム調整値に対応する付加量の音響効果を、イコライザ装置１から供給された音声信号に付加する。このため、ラウドネス装置２は、イコライザ装置１により、ボリューム調整値に対応していない音量とされた音声信号に対して、ボリューム調整値に対応する付加量の音響効果を付加し、ラウドネス装置２の設計意図通りの最適な効果を得ることが困難となるおそれがある。
【００２７】
第１の実施の形態の音響調整装置では、イコライザ装置１に入力される前の音声信号を第１フィルタ部３に供給し、イコライザ装置１でイコライジング処理された後の音声信号を第２フィルタ部４に供給する。第１フィルタ部３および第２フィルタ部４は、図２を用いて説明したように、入力された音声信号を、いわゆるＡカーブと呼ばれる聴感補正カーブのフィルタ特性でフィルタリング処理する。これにより、第１フィルタ部３および第２フィルタ部４は、イコライザ装置１に入力される前の音声信号、およびイコライザ装置１から出力された音声信号を、人間の聴感に合った音声信号に聴感補正し、差分検出部５に供給する。
【００２８】
差分検出部５は、第１フィルタ部３で聴感補正されたイコライザ装置１に入力される前の音声信号と、第２フィルタ部４で聴感補正された、イコライザ装置１がイコライジング処理した後の音声信号との音量差（ΔＧＥＱ）を検出する。この音量差（ΔＧＥＱ）は、イコライザ装置１のイコライジング処理による音声信号の音量の増加等の変化量と等価と見なすことができる。付加量補正部６は、ラウドネス装置２で音声信号に付加している音響効果の付加量を、差分検出部５で検出された音量差（ΔＧＥＱ）に対応する付加量となるように補正する。
【００２９】
具体的には、実施の形態の音響調整装置には、図１に示すようにシフト量記憶部１１が設けられている。図５は、シフト量記憶部１１の模式図である。図５に示すように、シフト量記憶部１１には、上述の各音量差（ΔＧＥＱ）と、各音量差（ΔＧＥＱ）に対応するシフト量とが関連付けられて記憶されている。シフト量は、現在のボリューム調整値に対応して付加されている音響効果の付加量を、他のボリューム調整値用の付加量に変更を指示する情報である。図５の例で説明すると、例えば音量差（ΔＧＥＱ）が１ｄＢの場合、音響効果の付加量のシフト量は「１」となる。シフト量が「１」であり、現在のボリューム調整値に対応して付加している音響効果の付加量がＧ２であった場合、ラウドネス装置２は、現在のボリューム調整値に対応して付加する音響効果の付加量をＧ３にシフト制御する。同様に、シフト量が「３」であり、現在のボリューム調整値に対応して付加している音響効果の付加量がＧ４であった場合、ラウドネス装置２は、現在のボリューム調整値に対応して付加する音響効果の付加量をＧ７にシフト制御する。なお、この例では、主に付加量のシフトアップ制御を説明したが、上述の各音量差（ΔＧＥＱ）が−ｄＢの場合、ラウドネス装置２は、現在のボリューム調整値に対応して付加している音響効果の付加量をシフトダウン制御する。
【００３０】
図１に示す付加量補正部６は、差分検出部５で検出された音量差（ΔＧＥＱ）を用いて付加量補正部６を参照することで、上述のシフト量を検出してラウドネス装置２に通知する。ラウドネス装置２は、現在のボリューム調整値に対応して付加している音響効果の付加量を、通知されたシフト量となるようにシフト制御する。図６は、差分検出部５で検出された音量差（ΔＧＥＱ）が例えば２ｄＢであったため、現在のボリューム調整値に対応して付加している音響効果の付加量を、「２」シフト制御した例を示している。なお、図６に示すＧ１１の付加量は、ボリューム調整値が「１１」でボリュームゲインが「＋１ｄＢ」の場合の付加量を示している。同様に、Ｇ１２の付加量は、ボリューム調整値が「１２」でボリュームゲインが「＋２ｄＢ」の場合の付加量を示している。
【００３１】
以上の説明から明らかなように、第１の実施の形態の音響調整装置は、イコライジング処理する前の音声信号とイコライジング処理後の音声信号との音量差（ΔＧＥＱ）を検出し、検出した音量差（ΔＧＥＱ）で、現在のボリューム調整値に対応してラウドネス装置２で付加している音響効果の付加量を補正する。これにより、イコライザ装置１で音声信号が、現在のボリューム調整値とは異なる音量に調整された場合でも、ラウドネス装置２の音響効果の付加量を、イコライザ装置１で調整された音量に対応する付加量に補正できる。
【００３２】
このため、ボリューム調整値に連動せず、音声信号の音量を変更するイコライザ装置１と、ボリューム調整値に連動して付加する音響効果を変えるラウドネス装置２とを組み合わせて使用しても、ラウドネス装置２の設計意図通りの最適な音響効果を得ることができる。
【００３３】
また、第１フィルタ部３および第２フィルタ部４により、イコライザ装置１に供給する前および供給後の音声信号を、それぞれ聴感補正フィルタリング処理しているため、差分検出部５で、イコライザ装置１に供給する前および供給後の音声信号の聴感音量差（上述のΔＧＥＱ）を検出することができる。そして、ラウドネス装置２の音響効果の付加量を、聴感音量差に応じて補正することができる。これにより、聴感上の音量を補正することができる。
【００３４】
（第２の実施の形態）
次に、本発明の第２の実施の形態となる音響調整装置の説明をする。この第２の実施の形態の音響調整装置は、イコライザ装置１の各設定パターンに対応する、ラウドネス装置２の音響効果の付加量のシフト量を予め計算してシフト量記憶部に記憶しておく。そして、イコライザ装置１の現在の設定パターンに対応するシフト量を、シフト量記憶部から検出し、ラウドネス装置２の音響効果の付加量を補正するものである。なお、第１の実施の形態と第２の実施の形態とでは、この点のみが異なる。このため、以下、両者の差異の説明のみ行い、重複した説明は省略する。
【００３５】
図７に、第２の実施の形態の音響調整装置のブロック図を示す。第２の実施の形態の音響調整装置は、図３を用いて説明したイコライザ装置１の各設定パターンと、各設定パターンに対応するラウドネス装置２の音響効果の付加量のシフト量とが、それぞれ関連付けされて記憶されたシフト量記憶部１３を有する。また、第２の実施の形態の音響調整装置は、イコライザ装置１の現在の設定パターンに対応するシフト量を、シフト量記憶部１３から検出し、ラウドネス装置２の音響効果の付加量を補正する付加量補正部１２を有する。
【００３６】
このような第２の実施の形態の音響調整装置は、例えば操作者により音声信号を所望の周波数特性とする調整操作がなされると、イコライザ装置１から付加量補正部１２に対して、現在の設定パターンを示す情報が供給される。付加量補正部１２は、現在の設定パターンを示す情報を用いてシフト量記憶部１３を参照することで、現在の設定パターンに対応するシフト量を検出する。
【００３７】
付加量補正部１２からシフト量記憶部１３に供給される、イコライザ装置１の現在の設定パターンを示す情報としては、イコライザ装置１から各周波数帯域の音量を示す情報を、設定パターンを示す情報として付加量補正部１２に供給してもよい。または、イコライザ装置１が、操作者の調整操作に対応する設定パターンを検出し、検出した設定パターンを示す情報を付加量補正部１２に供給してもよい。
【００３８】
イコライザ装置１から各周波数帯域の音量を示す情報を、設定パターンを示す情報として付加量補正部１２に供給する場合、付加量補正部１２内または付加量補正部１２外に、各周波数帯域の音量設定と、音量設定毎に付した設定パターン番号とを記憶したパターン検出用記憶部を設ける。イコライザ装置１は、各周波数帯域の音量を示す情報を付加量補正部１２に供給する。付加量補正部１２は、イコライザ装置１から供給された各周波数帯域の音量を示す情報と合致する各周波数帯域の音量の設定パターンをパターン検出用記憶部から検出する。そして、付加量補正部１２は、検出した各周波数帯域の音量の設定パターンに対応する設定パターン番号をパターン検出用記憶部から検出する。
【００３９】
これに対して、イコライザ装置１が、操作者の調整操作に対応する設定パターンを検出し、検出した設定パターンを示す情報を付加量補正部１２に供給する場合、イコライザ装置１内またはイコライザ装置１外に、各周波数帯域の音量設定と、音量設定毎に付した設定パターン番号とを記憶したパターン検出用記憶部を設ける。この場合、イコライザ装置１は、操作者により調整操作された各周波数帯域の音量に合致する各周波数帯域の音量の設定パターンをパターン検出用記憶部から検出する。そして、イコライザ装置１は、検出した各周波数帯域の音量の設定パターンに対応する設定パターン番号をパターン検出用記憶部から検出する。イコライザ装置１は、パターン検出用記憶部から検出した設定パターン番号を、上述の設定パターンを示す情報として付加量補正部１２に供給する。
【００４０】
なお、設定パターンとしては、少しでも異なる音量であれば、異なる設定パターン番号を付して管理してもよい。または、聴感上、同様の音響効果を得られる複数の設定パターンをまとめて同一の設定パターンとし、同じ設定パターン番号を付して管理してもよい。
【００４１】
次に、図８に、シフト量記憶部１３の記憶内容を示す。シフト量記憶部１３には、設定パターン毎に、それぞれ対応するラウドネス装置２の音響効果の付加量のシフト量が関連付けられて記憶されている。例えば、「１」の設定パターン番号の設定パターンには、シフト量を１段階分シフトアップすることを示す「１」のシフト量が関連付けられている。同様に、「６」の設定パターン番号の設定パターンには、シフト量を３段階分シフトアップすることを示す「３」のシフト量が関連付けられている。さらに、「ｎ（ｎ：ｎは１０以上の自然数）」の設定パターン番号の設定パターンには、シフト量を９段階分シフトアップすることを示す「９」のシフト量が関連付けられている。
【００４２】
付加量補正部１２は、上述のようにパターン検出用記憶部から検出した設定パターン番号、または、イコライザ装置１から供給された設定パターン番号を用いてシフト量記憶部１３を参照する。そして、付加量補正部１２は、シフト量記憶部１３から、設定パターン番号に対応するシフト量を検出し、検出したシフト量をラウドネス装置２に通知する。なお、図８に示す例は、各設定パターンのうち、聴感上、同様の音響効果が得られる設定パターンに対して同じシフト量を割り当てている例である。この例の場合、「１」および「２」の設定パターン番号の設定パターンに対しては、「１」のシフト量が割り当てられている。同様に、「３」〜「５」の設定パターン番号の設定パターンに対しては、「２」のシフト量が割り当てられている。
【００４３】
ラウドネス装置２は、図６を用いて説明したように、現在のボリューム調整値に対応して付加している音響効果の付加量を、通知されたシフト量となるようにシフト制御する。これにより、イコライザ装置１で音声信号が、現在のボリューム調整値とは異なる音量に調整された場合でも、ラウドネス装置２の音響効果の付加量を、イコライザ装置１で調整された音量に対応する付加量に補正できる等、上述の第１の実施の形態と同じ効果を得ることができる。
【００４４】
また、第２の実施の形態の音響調整装置の場合、イコライザ装置１の各設定パターンに対応するシフト量を検出するためのシフト量記憶部１３を設けるだけの簡単な構成で実現可能である。このため、回路構成簡単かつ安価に実現可能とすることができる。
【００４５】
上述の各実施の形態は、例として提示したものであり、本発明の範囲を限定することは意図していない。この新規な各実施の形態は、その他の様々な形態で実施されることが可能であり、発明の要旨を逸脱しない範囲で、種々の省略、置き換え、変更を行うことも可能である。例えば、上述の各実施の形態は、調整値非連動部はイコライザ装置１であることとしたが、音声信号の音量を変化させる機能を有する機器であれば、イコライザ装置１以外の装置であってもよい。この場合でも、上述と同様の効果が得られる。各実施の形態および各実施の形態の変形は、発明の範囲や要旨に含まれると共に、特許請求の範囲に記載された発明とその均等の範囲に含まれる。
【符号の説明】
【００４６】
１  イコライザ装置（調整値非連動機能）
２  ラウドネス装置（調整値連動機能）
３  第１フィルタ部
４  第２フィルタ部
５  差分検出部
６  付加量補正部
７  入力端子
８  出力端子
９  入力端子
１０  付加量記憶部
１１  シフト量記憶部
１２  付加量補正部
１３  シフト量記憶部
【図１】
2015115615.tif 000003
【図２】
2015115615.tif 000004
【図３】
2015115615.tif 000005
【図４】
2015115615.tif 000006
【図５】
2015115615.tif 000007
【図６】
2015115615.tif 000008
【図７】
2015115615.tif 000009
【図８】
2015115615.tif 000010